(57)【特許請求の範囲】
【請求項１】
浴槽の浴水を入水し、所定の浄化処理を施した後、再び該浴水を浴槽に出水する浴水浄化装置において、
浴水浄化装置内部を洗浄するための内部洗浄装置と、
浴水浄化装置の運転を停止した後所定時間の経過を計時するタイマ装置と、
該浴水に殺菌又は滅菌あるいは除菌などの目的のために薬剤を注入するための薬剤注入装置と、
前記浴水浄化装置の内部を洗浄した後或は前記タイマ装置により浴水浄化装置の運転を停止した後所定時間の経過が検出された後に前記薬剤注入装置を駆動して薬剤を注入させる制御装置と、
を備えたことを特徴とする浴水浄化装置。
【請求項２】
前記薬剤注入装置が塩素を含む薬剤を注入する、
請求項１に記載の浴水浄化装置。
【請求項３】
前記内部洗浄装置が熱水により内部洗浄を行う、
請求項１又は２に記載の浴水浄化装置。
【発明の詳細な説明】
【０００１】
【発明の属する技術分野】
この発明は、浴水浄化装置に関する。
【０００２】
【従来の技術】
浴槽水の浴水を入水して所定の浄化処理を加えた後に浴槽に出水し、この行程を繰り返すことにより浴水を循環浄化する浴水浄化装置が知られている。
該浴水浄化装置において、浄化はろ過装置によるものの他、主として業務用の浴水浄化装置においてはオゾン殺菌や殺菌灯等による殺菌或いは塩素などの薬剤による殺菌が行われる。
【０００３】
【発明が解決しようとする課題】
しかし、塩素などの薬剤による消毒を行う場合、従来つぎのような問題があった。
浄化装置内部の濾材や配管路に汚れがあると、該汚れにより投入された塩素剤が消失する。また、濾材や配管路の汚れは主として人体の皮膚からの脱落成分や皮脂成分、汗等の体液が中心であり、これらには窒素成分が多く含まれている汚れであるため、殺菌力の弱い結合塩素が生成してしまう問題があった。そして、殺菌力の強い遊離塩素の生成は、汚れによる塩素剤の消失と結合塩素の生成が終わった後になるため、殺菌が行われるまでに時間がかかる等の問題があった。
本発明は上記従来技術の問題を解決することを目的とする。
【０００４】
【課題を解決するための手段】
上記目的を達成するために、浴槽の浴水を入水し、所定の浄化処理を施した後、再び該浴水を浴槽に出水する浴水浄化装置において、浴水浄化装置内部を洗浄するための内部洗浄装置と、 浴水浄化装置の運転を停止した後所定時間の経過を計時するタイマ装置と、該浴水に殺菌又は滅菌あるいは除菌などの目的のために薬剤を注入するための薬剤注入装置と、
前記浴水浄化装置の内部を洗浄した後或は前記タイマ装置により浴水浄化装置の運転を停止した後所定時間の経過が検出された後に前記薬剤注入装置を駆動して薬剤を注入させる制御装置と、を備えたことを特徴とする。
以上の構成により、浄化装置内部の洗浄が行われた後に塩素などの薬剤注入が行われるため、薬剤の効果が減じられることが少ない。
またタイマ装置により浴水浄化装置の運転を停止した後所定時間の経過が検出された後に薬剤の注入が行われる。浴水交換時には浄化装置の運転を停止するので、所定時間の停止により浴水交換を検出できる。浴水が交換された場合、清浄な浴水の時に薬剤の注入を行うことにより、同様に薬剤の効果が減じられることを防止できる。
また、浴水を交換せずになんらかの理由により浄化装置の運転が停止した場合も薬剤の注入が行われる。浄化装置の運転停止後は浴水内の菌の繁殖等の可能性があるので、この際の薬剤注入は効果が大きい。
以上の通り、いずれにしても、浴水浄化装置の運転を停止した後所定時間が経過が検出された後に薬剤の注入を行うことにより、大きな効果が得られる。
なお、前記薬剤注入装置が注入する薬剤としては、塩素或いは塩素を含む薬剤がもっとも一般的であるが、他のどのような薬剤も本装置に使用可能である。
また内部洗浄装置による洗浄は所定温度以上の高温水（熱水）による内部洗浄とするのが望ましい。
【０００５】
【発明の実施の形態】
以下本発明の実施の形態を図面に基づいて説明する。
図１において、循環ポンプ２０の稼働により浴槽Ｔの浴水は吸込口２４から浴水浄化装置Ｙに入水し、ヘアキャッチャー２３を通り、湯温センサ２８を経由して循環ポンプ２０を通って、更に切替バルブＢ２７を経由し、ろ過タンク２１においてろ過される。そして、ヒータ２２により所定温度まで加温され切替バルブＡ２６を通って吐出口２５から浴槽Ｔに出水され、この循環を繰り返して浄化されるように構成されている。
【０００６】
切替バルブＡ２６から吐出口２５の間に塩素注入器１が設けられており、塩素流量計２と逆止弁５０を介して配管４０に接続している。
またヘアキャッチャー２３と循環ポンプ２０の間の配管４１には塩素濃度測定器３が設けられている。
【０００７】
浴水浄化装置Ｙ内部の洗浄を行う場合には、切替バルブＡ２６と切替バルブＢ２７をＡ−Ｃ接続とする。これにより浴水は循環ポンプ２０から切替バルブＡ２６を介してヒータ２２に逆方向から流入し、更にろ過タンク２１へと逆方向から流入して洗浄する。洗浄後の汚れた水は、切替バルブＢ２７を通って排水管４２から排水されるようになっている。
なお、５０、５１、５２はそれぞれ逆止弁である。
【０００８】
図２にこの実施形態の制御装置の構成を示す。制御装置３０はマイクロコンピュータを主体に構成されており、浴水浄化装置Ｙ全体の制御を行っている。該制御装置３０には表示部３１と操作部３２が設けられており、操作部３２からユーザなどが種々の指令を入力する。表示部３１は様々な表示を行うものであって、また告知なども表示部３１において行うようになっている。
【０００９】
制御装置３０は循環ポンプ２０の運転制御、切替バルブＡ２６と切替バルブＢ２７の開閉制御およびヒータ２２の加温制御を行うようになっている。また湯温センサ２８からの湯温情報を入力するように構成されている。
【００１０】
制御装置３０には塩素注入器ＯＮ／ＯＦＦ制御回路１０が接続し、この塩素注入器ＯＮ／ＯＦＦ制御回路１０により塩素注入器１のオンオフを行うようになっている。また、塩素注入器電源制御回路１１が制御装置３０には接続され、塩素注入器１の電源のオンオフを制御できるようになっている。
制御装置３０には前記塩素濃度測定器３からの塩素濃度情報が入力し、また塩素流量計２からの流量情報が入力するように構成されている。
【００１１】
制御装置３０は操作部３２からの指令、或いは所定時間の計時などにより切替バルブＡ２６と切替バルブＢ２７を切り替えて内部洗浄モードとし、浴水をヒータ２２とろ過タンク２１へと逆流させて洗浄を行い排水管４２から排水させるように構成されている。この際、ヒータ２２により浴水を高温に加温して所謂熱洗浄を行うことも可能である。また洗浄装置内部に循環路を形成し、高温の浴水を内部循環させて洗浄することも可能である。
所定時間洗浄を行った後、制御装置３０は塩素注入器ＯＮ／ＯＦＦ制御回路１０を介して塩素注入器１に塩素注入を行わせるように構成されている。該塩素注入も所定時間行わせるようになっている。
【００１２】
更に制御装置３０にはタイマ装置２９が接続しており、浴水浄化装置Ｙの運転が停止された時に時間の計時を開始し、所定時間経過したら、その旨の信号を制御装置３０に出力するようになっている。
制御装置３０はタイマ装置２９からの信号を受けると、浴水の交換があったと見なして、塩素注入器ＯＮ／ＯＦＦ制御回路１０を介して塩素注入器１に塩素注入を行わせるように構成されている。
【００１３】
塩素注入器１から塩素の注入がなされると、該塩素は塩素流量計２と逆止弁５０を介して配管４０に送られ、更に吐出口２５から浴槽Ｔ内に吐出する。そして、吸込口２４から吸引されてヘアキャッチャー２３を経由して塩素濃度測定器３においてその塩素濃度が検出されるようになっている。
【００１４】
図３により洗浄と塩素注入の動作を説明する。
使用者が操作部３２を操作するか或いはタイマ等の時間計時により制御装置３０が切替バルブＢ２７と湯温センサ２８を切り替えて、浴水を循環ポンプ２０、切替バルブＡ２６、ヒータ２２、ろ過タンク２１、切替バルブＢ２７と逆流させ、排水管４２から排出させて熱洗浄を行わせる（ステップＳ１）。所定時間経過したら（ステップＳ２）、熱洗浄を終了する（ステップＳ３）。そして、制御装置３０は塩素注入器１に塩素注入を行わせ（ステップＳ４）、所定時間経過したら（ステップＳ５）、終了する。
【００１５】
以上の構成において塩素注入は内部洗浄後に行われるから、塩素の消失や結合塩素の生成が抑制される。そのため塩素の効力が減じることがなく、効力を生ずるために時間がかかる等の問題もない。
【００１６】
図４により浴水交換と塩素注入の動作を説明する。
浴水浄化装置Ｙの運転が停止されるとタイマ装置２９によりカウントが開始され、所定時間経過後に制御装置３０に信号が送られ、浴水交換が行われたことを検出する（ステップＳ１０）。制御装置３０は該検出により塩素注入器１に塩素注入を行わせ（ステップＳ１１）、所定時間経過後に（ステップＳ１２）、終了する。
【００１７】
以上の構成において塩素注入は浴水交換後に行われるから、塩素の消失や結合塩素の生成が抑制される。そのため塩素の効力が減じることがなく、効力を生ずるために時間がかかる等の問題もない。また、浴水交換が行われずに浴水浄化装置Ｙの運転が停止した場合でも塩素注入が行われ、停止中に繁殖した菌を殺菌すること等が可能になる。
【００１８】
【発明の効果】
以上説明したように本発明の浴水浄化装置によれば、浴水が清浄な状態で薬剤注入を行うことができ、薬効を減じることなく効率的な薬剤注入を行える効果がある。
【図面の簡単な説明】
【図１】本発明の一実施形態を示す概略図。
【図２】本発明の一実施形態の制御装置を示すブロック図。
【図３】本発明の一実施形態の動作を示すフローチャート図。
【図４】本発明の一実施形態の他の動作を示すフローチャート図。
【符号の説明】
１：塩素注入器、２：塩素流量計、３：塩素濃度測定器、１０：塩素注入器ＯＮ／ＯＦＦ制御回路、１１：塩素注入器電源制御回路、２０：循環ポンプ、２１：ろ過タンク、２２：ヒータ、２３：ヘアキャッチャー、２４：吸込口、２５：吐出口、２６：切替バルブＡ、２７：切替バルブＢ、２８：湯温センサ、２９：タイマ装置、３０：制御装置、３１：表示部、３２：操作部、４０：配管、４１：配管、４２：排水管、５０：逆止弁、５１：逆止弁、５２：逆止弁。
【図１】
0004597290.tif 000002
【図２】
0004597290.tif 000003
【図３】
0004597290.tif 000004
【図４】
0004597290.tif 000005